(57)【特許請求の範囲】
【請求項１】
造営材に支持される器具本体と、
前記器具本体における前記造営材とは反対側に設けられた電源部および発光部と、
前記発光部を覆う透光性カバーと、
前記器具本体における前記造営材とは反対側を覆う透光性を有するグローブと、
前記器具本体における前記造営材とは反対側に設けられ、前記グローブが着脱可能に係合される係合部と、を備え、
前記透光性カバーおよび前記係合部が一体成形されている照明器具。
【請求項２】
請求項１に記載の照明器具において、
前記透光性カバーおよび前記係合部を連結する腕部を有し、
前記腕部は、前記器具本体における前記造営材とは反対側の表面形状に沿っている照明器具。
【発明の詳細な説明】
【技術分野】
【０００１】
本発明は、造営材に器具本体が取り付けられ、器具本体に電源部および発光部が設けられ、発光部が透光性を有するグローブで覆われる照明器具に関する。
【背景技術】
【０００２】
照明器具のなかには、回路基板に多数のＬＥＤ（Light-emitting Diode）チップが実装され、回路基板が透光性カバーで覆われた状態で金属製の器具本体に取り付けられ、器具本体の外周部にグローブが着脱自在に支持されるものが知られている（特許文献１）。
器具本体の外周部に複数の係合部が取り付けられ、複数の係合部にグローブが着脱自在に支持されている。
【先行技術文献】
【特許文献】
【０００３】
【特許文献１】特開２０１２−１４６６６６号公報
【発明の概要】
【発明が解決しようとする課題】
【０００４】
しかし、特許文献１の照明器具は、器具本体にグローブを固定するために、器具本体に複数の係合部を設ける必要があり部品点数を減らす妨げになっていた。また、器具本体に複数の係合部を取り付ける作業が必要になり組立工程を減らす妨げになっていた。
【０００５】
本発明は、前述した課題を解決するためになされたものであり、その目的は、部品点数を減らし、組立工程を減らすことができる照明器具を提供することにある。
【課題を解決するための手段】
【０００６】
本発明の照明器具は、造営材に支持される器具本体と、前記器具本体における前記造営材とは反対側に設けられた電源部および発光部と、前記発光部を覆う透光性カバーと、前記器具本体における前記造営材とは反対側を覆う透光性を有するグローブと、前記器具本体における前記造営材とは反対側に設けられ、前記グローブが着脱可能に係合される係合部と、を備え、前記透光性カバーおよび前記係合部が一体成形されている。
【発明の効果】
【０００７】
本発明の照明器具によれば、部品点数を減らし、組立工程を減らすことができる照明器具を提供できる。
【図面の簡単な説明】
【０００８】
【図１】本発明に係る照明器具を下方から見た状態を示す分解斜視図
【図２】図１の照明器具を組み付けた状態を示す断面図
【図３】図２のＩ部拡大図
【図４】本発明に係る照明器具からグローブを外した状態を示す平面図
【図５】図１のグローブを上方から見た状態を示す斜視図
【発明を実施するための形態】
【０００９】
以下、実施形態に係る照明器具について図面を参照して説明する。
（実施形態）
図１に示すように、照明器具１０は、造営材としての天井１１に取り付けられる器具本体１４と、器具本体１４の中央部に設けられた器具取付部１４Ａを迂回するように器具本体１４に支持される回路基板１６とを備えている。
天井１１には天井側取付部材１２が取り付けられている。器具取付部１４Ａの内部には照明器具側取付部材１５が取り付いて収納される。天井側取付部材１２に照明器具側取付部材１５が取り付けられることにより、照明器具１０が天井１１に固定される。
天井１１に器具本体１４が取り付けられた状態では、天井１１および器具本体１４間に介在するクッション１３（図２、図３も参照）によりぐらつき等は生じない。
【００１０】
さらに、照明器具１０は、回路基板１６の電源領域１７を覆う電源領域カバー１９と、回路基板１６の発光領域１８を覆う透光性カバー２３とを備えている。
加えて、照明器具１０は、透光性カバー２３から延ばされた複数の腕部３１と、各腕部３１に設けられた複数の係合部２６と、係合部２６に着脱自在に取り付けられるグローブ２５と備えている。
【００１１】
器具本体１４は、平面視において円板状に形成され（図１参照）、器具取付部１４Ａに設けられた照明器具側取付部材１５の周囲に、回路基板１６側へ膨出する接触面２１（図１も参照）と、接触面２１の外縁から傾斜状に折り曲げられる折曲面２２と、折曲面２２の外縁から径方向外側に水平に張り出された張出面３２とを有する。
【００１２】
なお、実施形態では、平面視において円板状の器具本体１４を造営材としての天井１１に直接取り付ける例について説明するが、これに限定するものではなく、平面視において角形状の器具本体を用いる場合に適用可能である。また、天井側取付部材１２に係合部材を係合させるとともに、この係合部材を介して電線により器具本体１４を吊り下げる場合に適用可能である。また、チェーンやワイヤ等を用いて天井１１から器具本体１４を吊り下げる場合にも適用可能である。
【００１３】
天井側取付部材１２は、天井１１の裏側において電線と結線されている。照明器具側取付部材１５は、コネクタ付の配線（図示せず）が器具本体１４の下方に引き出されている。
従って、天井側取付部材１２に照明器具側取付部材１５を接続し、照明器具側取付部材１５の配線のコネクタを回路基板１６に設けられたコネクタ２８（図２、図３参照）にコネクタ接続することにより、天井１１の裏側において電線と回路基板１６とが電気的に接続される。
なお、天井側取付部材１２および照明器具側取付部材１５は、図２、図３において省略している。
【００１４】
回路基板１６は、器具本体１４の器具取付部１４Ａに対応する中空部２９が開口され、略ドーナツ形状に形成されている。この回路基板１６は、器具本体１４側が裏面１６Ａ、器具本体１４とは反対側が表面１６Ｂとなっている。
表面１６Ｂに電源領域１７および発光領域１８が設けられている。裏面１６Ａには、発光領域１８に対応する発光領域裏面１６Ｃが形成されている。
【００１５】
回路基板１６の表面１６Ｂには、器具本体１４の器具取付部１４Ａ側に電源領域１７が設けられ、電源領域１７の外側に発光領域１８が設けられている。電源領域１７が器具本体１４の器具取付部１４Ａに対して近い領域に環状に形成され、発光領域１８が器具本体１４の器具取付部１４Ａに対して遠い領域に環状に形成されている。
よって、電源領域１７および発光領域１８を回路パターンで接続できるので、従来技術のように、電源領域１７および発光領域１８をハーネスで接続する必要がなく、部品点数を削減できる。
【００１６】
電源領域１７が器具本体１４の器具取付部１４Ａ側に形成され、発光領域１８が器具本体１４の器具取付部１４Ａから離れて形成されることにより、電源領域１７および発光領域１８が互いに上下方向において重なり合わないように配置されている。
電源領域１７に電源部３３としての電子部品３４（コネクタ２８も含む）が多数実装されている。
【００１７】
また、発光領域１８に発光部３６としての多数のＬＥＤチップ３７が実装されている。電源部３３が回路パターン３８で各ＬＥＤチップ３７に接続され、電源部３３から供給される電力により各ＬＥＤチップ３７が発光する。
【００１８】
このように、電源部３３および発光部３６が互いに重なり合わないように単一の回路基板１６に実装されている。よって、従来必要とされていた電源部３３および発光部３６用の二つの回路基板を、単一の回路基板１６にまとめることができる。
これにより、部品点数を少数にでき、かつ、電源部３３および発光部３６の接続作業を不要にして組立を容易にできる。
【００１９】
また、回路基板１６の裏面１６Ａのうち、発光領域裏面１６Ｃに器具本体１４の接触面２１が接触されている。よって、接触面２１は、発光領域裏面１６Ｃのうち、各ＬＥＤチップ３７を接続する発光部３６の回路パターンに対応する部位に接触されている。
これにより、回路基板１６の熱を接触面２１に効率よく放熱させることができる。
【００２０】
図３、図４に示すように、回路基板１６の電源領域１７が電源領域カバー１９で下方から覆われている。また、回路基板１６の発光領域１８（すなわち、発光部３６）が透光性カバー２３で覆われている。
透光性カバー２３は、樹脂材で透明、梨地や乳白色等に形成されている。この透光性カバー２３は、回路基板１６の表面１６Ｂに接触する外鍔部５１および内鍔部５２と、外鍔部５１および内鍔部５２に支持されるドーム部５３とを有する。
【００２１】
外鍔部５１は、回路基板１６の表面１６Ｂに沿って形成された平坦な鍔平坦部５１Ａと、鍔平坦部５１Ａから器具本体１４の折曲面２２に沿って形成された鍔傾斜部５１Ｂとを有する。外鍔部５１が鍔平坦部５１Ａおよび鍔傾斜部５１Ｂで断面略Ｖ字状に形成されている。
【００２２】
鍔傾斜部５１Ｂの外周縁から径方向に沿って複数の腕部３１が器具本体１４の張出面３２の表面形状に沿って水平に延ばされている。各腕部３１の先端部に係合部２６が設けられ、複数の係合部２６が器具本体１４における天井１１（図１参照）とは反対側に配置されている。すなわち、透光性カバー２３および係合部２６が腕部３１で連結されている。
【００２３】
複数の腕部３１および複数の係合部２６は、透光性カバー２３と一体に透明、梨地や乳白色等に形成されている。係合部２６は、外方に向けて開口するように断面略Ｕ字状に形成され、断面略Ｕ字状の内部にグローブ２５の係合突起２５Ａが配置される。これにより、複数の係合部２６にグローブ２５の係合突起２５Ａが着脱可能に係合される。
【００２４】
複数の腕部３１および複数の係合部２６が透光性カバー２３と一体形成されることにより、複数の腕部３１および複数の係合部２６を別途備える必要がなく部品点数を減らすことができる。さらに、複数の腕部３１および複数の係合部２６を組み付ける作業を省くことができ、組立工程を減らすことができる。
【００２５】
また、複数の腕部３１および複数の係合部２６が透光性カバー２３と一体に透明、梨地や乳白色等に形成されている。これにより、発光部３６のＬＥＤチップ３７から発光された光で、複数の腕部３１および複数の係合部２６の像がグローブ２５に投影されて影として映されることを抑えることができる。
【００２６】
加えて、複数の腕部３１が器具本体１４の張出面３２に沿って水平に延ばされている。このため、複数の腕部３１の像がグローブ２５に影として映されることを一層良好に抑えることができる。
【００２７】
図２、図５に示すように、グローブ２５は、乳白色の投光性を有し、回路基板１６、電源領域カバー１９や透光性カバー２３などを下方から包み込むように略半球体状に形成されている。このグローブ２５は、上開口部２５Ｂの内周から複数の係合突起２５Ａが径方向内側に向けて突出されている。複数の係合突起２５Ａが、複数の係合部２６に着脱自在に係合される。
【００２８】
グローブ２５を器具本体１４まで持ち上げ、持ち上げたグローブ２５を水平方向に回転することにより、複数の係合部２６に係合突起２５Ａが係合される。これにより、複数の係合部２６にグローブ２５が取り付けられる。
この状態において、器具本体１４における天井１１とは反対側がグローブ２５で覆われ、回路基板１６、電源領域カバー１９や透光性カバー２３がグローブ２５で下方から覆われる。
【００２９】
以上説明したように、実施形態の照明器具１０は、天井１１に支持される器具本体１４と、器具本体１４における天井１１とは反対側に設けられた電源部３３および発光部３６とを備えている。
【００３０】
また、照明器具１０は、発光部３６を覆う透光性カバー２３と、器具本体１４における天井１１とは反対側を覆う透光性を有するグローブ２５を備える。また、照明器具１０は、器具本体１４における天井１１とは反対側に設けられ、グローブ２５が着脱可能に係合される係合部２６を備えている。さらに、透光性カバー２３および係合部２６が一体成形されている。
【００３１】
また、好ましくは、照明器具１０は、透光性カバー２３および係合部２６を連結する腕部３１を有し、腕部３１は、器具本体１４における天井１１とは反対側の表面形状に沿っている。
【００３２】
なお、本発明の照明器具は、前述した実施形態に限定されるものではなく適宜変更、改良等が可能である。
例えば、前記実施形態で使用した照明器具、造営材、器具本体、電源領域、発光領域、透光性カバー、グローブ、係合部、電線、腕部、電源部および発光部等の形状や構成は例示したものに限定するものではなく適宜変更が可能である。
【符号の説明】
【００３３】
１０  照明器具
１１  天井
１４  器具本体
１７  電源領域
１８  発光領域
２３  透光性カバー
２５  グローブ
２６  係合部
２７  電線
３１  腕部
３３  電源部
３６  発光部
【図１】
0006355048.tif 000002
【図２】
0006355048.tif 000003
【図３】
0006355048.tif 000004
【図４】
0006355048.tif 000005
【図５】
0006355048.tif 000006